(57)【要約】【課題】液面の曲がりに拘わらずムラの発生を防止し、観察対象物の全体を均質に観察することを可能にする観察装置を提供する。【解決手段】光を透過させる略円筒形のウェル２０に液体及び観察対象物が収容され、液体及び観察対象物に照明光を照射して液体及び観察対象物を通過する光により観察対象物を観察する観察装置において、ウェル２０の液体及び観察対象物に照明光を照射する光源１１と、観察対象物及び収容部を通過した光を通過させる対物レンズ３１と、撮像面上に結像された観察対象物の像を撮像する撮像素子４０とを備え、ｒ／（α−β−δ）＜ｔ＜ｒ／β及びβ＝ｓ１／ｔを満たすことを特徴とする。但し、ｒはウェル２０の半径、αは対物レンズ３１の開口数、δは液体を通過したときの最大屈折角、ｔは底面２０ａから第２絞り１４までの距離、ｓ１は第２絞り１４における光束の半径である。【選択図】図２
2010286510.tif 000002
【特許請求の範囲】
【請求項１】
収容部に収容された液体及び観察対象物に照明光を照射する照明光学系と、
前記観察対象物及び前記収容部を通過した光を通過させる対物レンズを有し、前記通過した光から前記観察対象物の像を結像させる結像光学系とを備え、
次式
ｒ／（α−β−δ）＜ｔ＜ｒ／β
β＝ｓ／ｔ
を満たすことを特徴とする観察装置。
但し、ｒは前記収容部の半径、αは前記対物レンズの開口数、δは前記照明光が前記液体を通過したときの最大屈折角、ｔは前記収容部の底面から前記照明光学系までの距離、ｓは前記照明光学系における前記照明光の光束の半径である。
【請求項２】
前記照明光学系は、照明光を射出する光源と、前記光源から射出された照明光を通過させるレンズ系を有し、
前記レンズ系に関して前記光源と共役な共役面が、前記収容部から見て前記対物レンズの反対側に設けられていることを特徴とする請求項１に記載の観察装置。
【請求項３】
前記照明光学系は、前記光源から射出された照明光の照明範囲を調節する視野絞りと、前記レンズ系を通過した光の光束の半径を調節する開口絞りとを備えることを特徴とする請求項２に記載の観察装置。
【請求項４】
前記照明光学系は、照明光を射出する光源と、前記光源から射出された照明光を通過させるレンズ系を有し、
前記レンズ系に関して前記光源と共役な共役面が、前記収容部から見て前記対物レンズ側に設けられていることを特徴とする請求項１に記載の観察装置。
【請求項５】
前記照明光学系は、前記レンズ系を通過した光の光束の半径を調節する開口絞りを備えることを特徴とする請求項４に記載の観察装置。
【請求項６】
δ≒０であることを特徴とする請求項１〜５のいずれかに記載の観察装置。
【請求項７】
前記収容部の半径ｒが５ｍｍ以下であることを特徴とする請求項１〜６に記載の観察装置。
【請求項８】
前記結像光学系による結像位置に設けられた撮像面を有する撮像部を備えることを特徴とする請求項１〜７のいずれかに記載の観察装置。
【発明の詳細な説明】
【技術分野】
【０００１】
本発明は、観察装置に関する。
【背景技術】
【０００２】
細胞等を培養する容器としては様々な種類のものがあるが、ウェルと称される孔部が多数（４８個、９６個等）設けられた多穴ウェルプレートが用いられることがある。一般に培養した細胞等を観察する際には、細胞の培養液の微小な屈折率差を明暗として可視化する位相差顕微鏡が用いられることが多いが、ウェルプレートの細胞等を観察する際には位相差顕微鏡を用いることは困難である。その理由は、特にウェルの面積が小さい場合においてはウェルの液面が表面張力により凹レンズ状に曲がり、光源から射出された照明光がこの曲がった部分を通過するときに屈折するため、液面及び観察対象物を通過した非回折光が位相リングに到達しなくなってしまい位相差を明暗差として観察できなくなる問題が発生する。この液面の曲がりは、培養液の種類、量、ウェルの材質等多くのパラメータに依存するため事前に予測することは困難である。
【０００３】
上述した問題に対応するため、観察対象物に照明光を照射する照明光学系の屈折力を液面の曲がり等に応じて調節する観察装置（例えば、特許文献１を参照）、また、照明光学系を適宜移動させることにより、液面及び観察対象物を通過した非回折光を位相リングに到達させるように調節する観察装置（例えば、特許文献２を参照）がある。これらの観察装置では、各ウェルの中心付近はコントラストを上げた画像が得られるが、ウェルの端部を含む全体を観察する場合には、液面が照明光の光軸に対して対称でなくなるため上記非回折光を全て位相リングに導くことが困難になる。また、上述した方法では照明光学系に可動部分が生じるため、機構が複雑化する問題もある。
【先行技術文献】
【特許文献】
【０００４】
【特許文献１】特開平０８−００５９２９号公報
【特許文献２】特開２００５−００４０８８号公報
【発明の概要】
【発明が解決しようとする課題】
【０００５】
ウェルプレートに培養された細胞等の観察においては、上述したような問題が発生するため位相差観察を行うことが実質困難となる。また、位相物体を観察する方法としては微分干渉観察が周知であるが、ウェルプレートは合成樹脂製であることが多く、このためウェルプレートを偏光が通過する際に偏光が保持されない問題が発生する。よって、微分干渉観察を行うことも困難である。
【０００６】
通常照明を用いて観察する場合は上記のような問題は発生しない。しかし、一般的に顕微鏡に使用される通常照明は、光軸に対して対称な状態を維持したまま観察対象物に照射されるが、ウェルの壁面（側面）は底面に対して略垂直に延びているため、ウェルの端部付近を観察する場合に照明光の一部が壁面に遮られ観察対象物に到達しなくなり、その部分の像強度が低下するという課題がある。また、ウェルと他のウェルの間や壁面に入射した光が不規則に散乱して迷光になり、像にムラを生じさせ、コントラストを低下させるという課題もある。
【０００７】
本発明は、このような課題に鑑みてなされたものであり、液面の曲がりに拘わらずムラの発生を防止し、観察対象物の全体を均質に観察することを可能にする観察装置を提供することを目的とする。
【課題を解決するための手段】
【０００８】
このような目的を達成するため、本発明に係る観察装置は、収容部に収容された液体及び観察対象物に照明光を照射する照明光学系と、前記観察対象物及び前記収容部を通過した光を通過させる対物レンズを有し、前記通過した光から前記観察対象物の像を結像させる結像光学系とを備え、次式ｒ／（α−β−δ）＜ｔ＜ｒ／β及びβ＝ｓ／ｔを満たすことを特徴とする。但し、ｒは前記収容部の半径、αは前記対物レンズの開口数、δは前記照明光が前記液体を通過したときの最大屈折角、ｔは前記収容部の底面から前記照明光学系までの距離、ｓは前記照明光学系における前記照明光の光束の半径である。
【発明の効果】
【０００９】
本発明に係る観察装置によれば、収容された観察対象物の全体を均質に観察することができる。
【図面の簡単な説明】
【００１０】
【図１】ウェルプレートの断面図である。
【図２】本発明に係る第１実施形態における観察装置の概略構成図である。
【図３】本発明に係る第２実施形態における観察装置の概略構成図である。
【図４】本発明に係る第３実施形態における観察装置の概略構成図である。
【図５】本発明に係る第４実施形態における観察装置の概略構成図である。
【発明を実施するための形態】
【００１１】
以下、図面を参照して本発明の観察装置について第１〜第４の４種類の実施形態について説明する。各実施形態で説明する観察装置は、主として図１に示すような、光を透過させることが可能なウェルプレート１の内部で培養された細胞等の観察対象物を観察するための装置である。ウェルプレートは、ウェルと称される孔部が複数（６個、１２個、２４個、４８個、９６個等）設けられ、当該ウェルの底面に細胞を付着させ培養できるようになっている。ウェルプレート１の断面図を図１に示す。
【００１２】
ところで、ウェルプレートに入っている観察対象物を観察するときには、位相差顕微鏡を用いて位相差観察をすることが多い。しかし、ウェルプレート１のウェルの径は一般的に小さく数ｍｍ程度である場合もあり、そのような場合に観察対象物の観察が困難になることがある。その理由は、ウェルの液面が表面張力により凹レンズ状に曲がっていることが挙げられ、具体的には、特にウェルの端部の液面の傾斜が大きく斜めになっている部分に照明光が照射されると、その屈折作用によりウェルの液面及び       観察対象物を通過した直接光（回折作用を受けない非回折光）の一部が対物レンズを通過しない事象が発生する。この事象の発生により、特にウェルの端部の位相差観察が困難となる。
【００１３】
また、ウェルの底面に付着した観察対象物の観察を困難にする原因としては、ウェルプレートのウェルの壁面の問題がある。上述したようにウェルの径は数ｍｍ程度であるが、ウェルの深さ（高さ）はそれ以上、具体的には１０ｍｍ以上になる場合もある。また、ウェルの壁面は底面と略垂直に設けられている。これに対して、通常、顕微鏡の照明光は、その光軸に関して対称に観察対象物の物体面（ウェルの底面）に入射するようになっており、ウェルの端部を観察しようとした場合に照明光の一部が上記壁面に遮られて観察対象物に到達しなくなりその部分の像強度が低下する。更に、ウェルと他のウェルの間もしくは壁面に入射した光は不規則に散乱して迷光となることがあり、これにより像にムラが生じ、コントラストが低下する問題も発生する。
【００１４】
上述したような問題に対応するため本実施形態における観察装置においては、位相差観察ではなく、通常照明による観察を行う。通常照明による観察は、位相差観察のように観察対象物の内部を通過した直接光の位相を変換することはないため、位相差観察と比較するとコントラストの点では劣るが、細胞等の観察対象物を観察する場合は問題なく使用することができる。また、以下に示す第１条件〜第３条件の３つの条件を満たせば、液面に表面張力による曲がりが生じていても、ムラ等が生じることなく観察対象物を均質に観察することができるようになる。
【００１５】
まず、上述したようにウェルの端部に照明光の進行方向または照明光のフォーカス位置がずれるとムラ（照度ムラ）が発生するが、この影響を小さくするには、光源またはその共役位置と観察対象物の物体面との距離を長くした方がよい。この距離を長くすると、液面による屈折力が変化しても、物体面上の光束面積の変化率を小さくすることが可能となり、上記ムラを低減させることができる。この、光源またはその共役位置と観察対象物の物体面との距離を長くすること、が第１条件である。
【００１６】
また、物体面に照射される照明光が壁面等に遮られるケラレと称される事象があるが、このケラレが生じると、観察対象物を均質に観察できなくなる。ケラレの発生を防止するには、ウェルの壁面から上方に壁面に平行に延びる位置より内側から照明光を照射させるようにするとよい。そうすると、ウェルの内側からウェルの底面（物体面）に照明光が照射されるようになるため、照明光が壁面等に遮られることがなくなりケラレの発生を防止することができる。この、壁面から上方に壁面に対して平行に延びる位置よりも内側から照明光を照射させること、が第２条件である。
【００１７】
そして、ウェルの中央付近とウェルの端部との間で照射された照明光による結像特性が大きく変化する場合には、上記観察対象物を均質に観察するという目的を達成できなくなる。そこで、観察対象物から見た入射光が結像光学系の瞳内に到達するようにすれば、ウェルの中央部分だけでなく端部も明視野で観察し観察対象物全体を明視野で観察することができるようになり、結像特性の変化を小さくすることができる。この、物体から見た入射光を結像光学系に到達させること、が第３条件である。
【００１８】
また、観察対象物をほぼテレセントリックな対物レンズを使用して通常照明により観察する場合における光源またはその共役位置と観察対象物等の位置関係については、ａ．光源が無限遠にある場合、ｂ．光源が観察対象物の前方（対物レンズの逆側）の有限距離にある場合、ｃ．光源が観察対象物と一致（物体面に光源を結像させる）している場合、ｄ．光源が物体の後方（対物レンズ側）の有限距離にある場合、の４種類が考えられる。
【００１９】
上記ａは、いわゆるケーラー照明に相当するものである。この場合は、観察対象物に平行光を照射するため、上記第１〜第３条件のうちの第２条件（壁面から上方に壁面に対して平行に延びる位置よりも内側から照明光を照射させること）を満たすことができない。また、上記ｃは、いわゆる臨界照明に相当するものである。臨界照明においては物体面に光源を結像させるため、上記第１条件（光源またはその共役位置と観察対象物の物体面との距離を長くすること）を満たさなくなる。
【００２０】
上記ｂまたはｄは、光源上の一点からの光束が広がりつつ物体面を照射する発散光、または光源の共役面に向かって狭まりつつ物体面を照射する収束光に相当し、前者（上記ｂ）を発散光照明、後者（上記ｄ）を収束光照明と称する。ｂ及びｄにおいては、光源とウェルとの位置関係を適切にすることにより上記第１〜第３条件全てを満たすことが可能である。なお、発散光照明と収束光照明を比較すると照明光が物体面上で同じ光束径となるようにする場合、ウェルへの入り口（上端）付近では収束光照明の方が光束径が大きくなり、発散光照明の方が光束径が小さくなる。このため、発散光照明の方が、後述する照明開口数を大きくすることができるという利点がある。ただし、発散光照明、収束光照明、いずれの場合でも良好な照明をすることは可能である。
【００２１】
以上の点を踏まえて、各実施形態における観察装置では、上記第１〜第３条件を満たすため光学系及びウェルの大きさ等に関するパラメータを適切にし、上記観察対象物を均質に観察するという目的を達成している。まず、上記のパラメータについて、対物レンズの開口数α、後述する照明開口数β、物体面（ウェルの底面）から後述する実効的な光源までの距離ｔ、後述する実効的な光源のサイズｓ、ウェルの半径ｒ、ウェルの液面の最大曲がり角δとする。実効的な光源とは、光源と液面との間にレンズや開口を制限する絞りがない場合は光源そのもの、物体面から見込んだ光源のサイズが絞りによって制限されている場合は絞り、光源あるいは絞りと液面との間にレンズがある場合は、光源あるいは絞りのレンズによる像のことをいう。実効的な光源の半径とは、上記の光源、絞りまたはその像の半径のことをいう。また、照明開口数βは、上記実効的な光源のサイズを実効的な光源までの距離で除した値を示しており、β＝ｓ／ｔと表現できる。また、最大曲がり角δは、通常ウェルの端部における曲がり角が最大となるため、実質、ウェルの端部における曲がり角が最大曲がり角δとなる。また、ウェルの半径ｒとは、ウェルの内面に内接する円の半径のことをいう。
【００２２】
ここで、対物レンズの開口数α及び照明開口数βについては、大きくするとケラレが生じるため小さい値としており、ｓｉｎα≒α、ｓｉｎβ≒βなる近似が成立するようになっている。そして、発散光照明を用いる場合（上記ｂ）において、第２条件（壁面から上方に壁面に対して平行に延びる位置よりも内側から照明光を照射させること）は、ｓ＜ｒ、すなわち、以下の式（１）で示される。
ｔ＜ｒ／β                          （１）
【００２３】
また、第３条件（物体から見た入射光を結像光学系に到達させること）は、α−β−δ＞ｒ／ｔが成立すればよい。この式を変形すると、以下の式（２）のようになる。
ｔ＞ｒ／（α−β−δ）              （２）
【００２４】
液面による最大曲がり角δを無視できる場合は、以下の式（２）´となる。
ｔ＞ｒ／（α−β）                  （２）´
【００２５】
上記式（１）と（２）´より、光学系及びウェルのパラメータα、ｒ、及び想定されるδを設定した上で、以下の式（３）または（３）´を満たすようにｔ、βを設定したものが良好な照明条件となる。
ｒ／（α−β−δ）＜ｔ＜ｒ／β      （３）
ｒ／（α−β）＜ｔ＜ｒ／β          （３）´
【００２６】
なお、第１条件（光源またはその共役位置と観察対象物の物体面との距離を長くすること）については、ｔ（物体面から後述する実効的な光源までの距離）が所定値以上となれば良いが、長ければ長い程上述した照度ムラの発生を抑えることができ、好ましい状態となる。
【００２７】
以下では、上記式（３）及び（３）´を満たし良好な照明条件を設定した観察装置の例について、図２〜図５を参照しながら第１〜第４実施形態として４つの観察装置を説明する。図２〜図５においては、後述する光源１１，５１，７１，９１の一点から照明光が射出されるが、射出された照明光のうち実線は物体面上の一点に集光される光、点線は光源１１，５１，７１，９１から射出された照明光を示している。さらに図２については、後述する底面２０ａの一点を通過した光のみを示しており、この光が対物レンズ３１に集光され、後述する撮像素子４０に導かれる様子を示している。
【００２８】
なお、以下の第１〜第４実施形態の観察装置では、倍率４倍、開口数０．２の対物レンズ３１を用いて半径ｒが３．５ｍｍ、高さが１０ｍｍの９６穴（１２×８）のウェルプレート中で培養されている細胞の分布を測定する場合を想定している。光源１１，５１，７１，９１としては蛍光管を使用し、照明光を照射する領域以外は遮蔽されている。なお、液面の最大曲がり角δは０．０７ｒａｄであるが、この値は水面に照明光が入射角２０ｄｅｇで入射した場合に相当する。
【００２９】
第１実施形態における観察装置１０は、図２に示すように、光源１１と、第１絞り１２及び第２絞り１４と、レンズ１３と、対物レンズ３１と、撮像素子４０とを備えて構成され、ウェル２０の底面２０ａを観察することが可能となっている。光源１１から射出された照明光は、第１絞り１２、レンズ１３、及び第２絞り１４を通過してウェル２０の観察対象物が付着している底面２０ａに導かれる。ここで、底面２０ａに対向する第２絞り１４に光源の像が形成されるが、この第２絞り１４と底面２０ａとの間の距離が上述した実効的な光源までの距離ｔに相当する。本実施形態では、図２に示すように、実効的な光源までの距離ｔ１を５５ｍｍとしている。また、第１絞り１２は、レンズ１３に関して第２絞り１４に共役な位置に設置され、第１絞り１２は照明光学系の視野絞り、第２絞り１４は開口絞りとしての機能を有する。また、第１絞り１２及び第２絞り１４は共に円形に形成され、第１絞り１２の半径は３．５ｍｍ、第２絞りの半径は３．３ｍｍとなっている。
【００３０】
上記において、照明開口数βはβ＝ｓ／ｔより、β＝３．３／５５＝０．０６となり、対物レンズの開口数αは０．２であるため、α−β−δ＝０．０７となり、ｒ／β≒５８．３、ｒ／（α−β−δ）＝５０．０、ｒ／（α−β）＝２５．０となる。よって、本実施形態では上述した式（３）及び（３）´を満たす。従って、ウェル２０の底面２０ａはほぼ一様な輝度で照明され、迷光もほとんど生じず、照明光に底面２０ａ全体を通過させることができる。底面２０ａ全体を通過した光は対物レンズ３１により集光そして撮像素子４０に導かれ良好な条件で撮影することができる。なお、液面に到達した照明光は液面により屈折されるが、ウェル２０の外側に向けて屈折されるため、端部を含めて底面２０ａの全体に照明光が届かなくなることはない。
【００３１】
第２実施形態における観察装置５０は、図３に示すように、光源５１と、絞り５４と、対物レンズ（不図示）と、撮像素子（不図示）とを備えて構成され、ウェル６０の底面６０ａを観察することが可能となっている。図３では、対物レンズ及び撮像素子の構成は第１実施形態と同様であるため図示を省略している。第２実施形態では、第１実施形態のようにレンズを介さず、光源５１から物体面を直接照明することにより構成を簡略化している。絞り５４は、視野絞りとして機能するものではなく、迷光を防ぎウェル６０外に照明光が進行するのを防止するために光源５１とウェル６０の間に設けられている。
【００３２】
光源５１は、円形に構成されており、その半径が上述した実効的な光源のサイズｓ２に相当し、光源５１から底面６０ａまでの距離が実効的な光源までの距離ｔ２に相当する。第１実施形態と同様に、ｓ２及びｔ２の値をそれぞれ３．３ｍｍ、５５ｍｍとすると、β＝０．０６となり、ｒ／β≒５８．３、ｒ／（α−β−δ）＝５０．０、ｒ／（α−β）＝２５．０となるため式（３）及び（３）´を満たす。従って、底面６０ａが略一様の輝度で照明され第１実施形態と同様の効果を得ることができる。なお、第２実施形態の観察装置５０は、第１実施形態と比較して視野絞りの配置を省略する等構成を簡略化しているため、性能面では第１実施形態よりも劣る。しかしながら、上述したように構成が簡易であることが観察装置５０の利点であり、半径及び高さ等が同じで同種のウェルのみを用いて観察する場合には、性能面でも第１実施形態と比較して問題なく使用することができる。
【００３３】
第３実施形態における観察装置７０は、図４に示すように、光源７１と、第１絞り７２と、レンズ７３と、第２絞り７５と、対物レンズ（不図示）と、撮像素子（不図示）とを備えて構成され、ウェル８０の底面８０ａを観察できるようになっている。対物レンズ及び撮像素子の構成及び配置は第１実施形態と同じであるため図示を省略している。第３実施形態では、第１実施形態と重複する部分が多いため、第１実施形態と異なる点についてのみ説明する。まず、光源７１から射出された照明光は、レンズ７３により第２絞り７５の手前に光源像７４を形成する。また、レンズ７３により形成される底面８０ａの像が形成される位置に第１絞り７２が設置される。
【００３４】
第２絞り７５は、円形に形成され、その半径が実効的な光源のサイズｓ３に相当し、第２絞り７５から底面８０ａまでの距離が実効的な光源までの距離ｔ３に相当する。第１実施形態と同様に、ｓ３及びｔ３の値をそれぞれ３．３ｍｍ、５５ｍｍとすると、ｒ／β≒５８．３、ｒ／（α−β−δ）＝５０．０、ｒ／（α−β）＝２５．０となり式（３）及び（３）´を満たし第１及び第２実施形態と同様の効果を得ることができる。なお、第３実施形態では光源像７４を形成しているため、第２絞り７５が設置される位置を、第１絞り７２及び光源像７４の位置に依存することなく、光源像７４からウェル８０の上端までの間の任意の位置に変更できる。第２絞り７５の位置を変更すると、液面及び底面８０ａに照射される照明光の範囲がこの位置により変化してしまうため照明ムラを発生させ易くなるという問題がある。しかし、上記の変化を許容すれば、構成の自由度を高くすることができるという利点が得られる。また、光源像７４が設けられている位置に実光源を設置するようにしてもよいが、この場合は、第２実施形態と同様視野絞りが設置されないため、ウェル８０の上端付近に絞りを設ける必要がある。
【００３５】
第４実施形態における観察装置９０は、図５に示すように、光源９１と、レンズ９２と、絞り９３と、対物レンズ（不図示）と、撮像素子（不図示）とを備えて構成され、ウェル１００の底面１００ａを観察できるようになっている。対物レンズ及び撮像素子の構成及び配置は第１実施形態と同じであるため図示を省略している。以下では第１実施形態と異なる点についてのみ説明する。まず、光源９１から射出された照明光は、レンズ９２により底面１００ａの先（図５における紙面の下方）に光源の共役面９５を形成する。図５に示すように、第４実施形態の観察装置９０は、第１〜第３実施形態の観察装置で使用した発散光照明と異なり、収束光照明を用いている。
【００３６】
絞り９３は、円形に形成されており、その半径が実効的な光源のサイズｓ４に相当し、絞り９３から底面１００ａまでの距離が実効的な光源までの距離ｔ４に相当する。第１〜第３実施形態と同様に、ｓ４及びｔ４の値をそれぞれ３．３ｍｍ、５５ｍｍとすると式（３）及び（３）´を満たし第１〜第３実施形態と同様の効果を得ることができる。なお、第４実施形態では、光源の共役面９５が形成されているため、絞り９３が設置される位置を、レンズ９２からウェル１００の上端までの間の任意の位置に変更できる。絞り９３の位置を変更すると液面及び底面１００ａに照射される照明光の範囲を変化させることができ、構成としての自由度を高くすることができる。
【００３７】
以上、上述した各実施形態においては、対物レンズの開口数α、照明開口数β、物体面から実効的な光源までの距離ｔ、実効的な光源のサイズｓ、ウェルの半径ｒ、ウェルの液面による最大曲がり角δの値を式（３）及び（３）´を満たすようにすることにより、照明ムラを低減させ、ケラレの発生を防止し、液面の表面張力による曲がりの存在に拘わらず物体面を均質に観察することができる。なお、上述した各実施形態の観察装置における上述したパラメータが有効となるのは、液面の曲がりが大きく位相差観察が困難となる場合であるが、ウェルの半径が概ね５ｍｍ以下となる場合には液面に平坦な部分がほとんどなくなるため、特に有効である。
【００３８】
また、上述した各実施形態における観察装置においては、光源１１，５１，７１，９１として蛍光管を用いた例について説明したが、これに限定されることなく、例えばハロゲンランプ等、別の種類の光源を用いてもよい。
【００３９】
なお、上述した各実施形態においては、光源または絞りが円形である例について説明したが、必ずしも円形である必要はない。また、本発明の適用対象について、上記実施形態ではウェルプレートとした例について説明したが、ウェルプレートに限定されることはない。容積が小さいため液面が表面張力により曲がっており、底に対してある程度の高さを有する容器の内部を観察する場合には、本発明を適用することができる。
【符号の説明】
【００４０】
１０    観察装置（第１実施形態）      １１    光源（第１実施形態）
１２    第１絞り（第１実施形態）      １３    レンズ（第１実施形態）
１４    第２絞り（第１実施形態）      ２０    ウェル（第１実施形態）
３１    対物レンズ                    ４０    撮像素子
５０    観察装置（第２実施形態）      ５１    光源（第２実施形態）
５４    絞り（第２実施形態）          ６０    ウェル（第２実施形態）
７０    観察装置（第３実施形態）      ７１    光源（第３実施形態）
７２    第１絞り（第３実施形態）      ７３    レンズ（第３実施形態）
７５    第２絞り（第３実施形態）      ８０    ウェル（第３実施形態）
９０    観察装置（第４実施形態）      ９１    光源（第４実施形態）
９２    レンズ（第４実施形態）        ９３    絞り（第４実施形態）
１００  ウェル（第４実施形態）
【図１】
2010286510.tif 000003
【図２】
2010286510.tif 000004
【図３】
2010286510.tif 000005
【図４】
2010286510.tif 000006
【図５】
2010286510.tif 000007